(57)【特許請求の範囲】
【請求項１】
複数の光線路を予め定めた第１配列間隔で第１方向に平行に配列して保持する光線路保持部と、
前記第１配列間隔とは異なる第２配列間隔にて複数の切り換え光線路を保持して、前記複数の光線路の前記第１方向と直交する第２方向に沿って移動することで、前記複数の切り換え光線路の中のいずれか１本の切り換え光線路の端部を、前記複数の光線路の端部に対して隙間をおいて選択的に切り換えるための移動切り換え部と、を備え、
前記複数の切り換え光線路の本数をｋ本（ｋは２以上の整数）とし、前記第１配列間隔をＰ１としたとき、
前記第２配列間隔Ｐは、
Ｐ＝Ｐ１×ｎ＋Ｐ１／ｋ  （ｎは０以上の整数）
の関係式を満たすように設定されており、
前記光線路保持部は、
前記複数の光線路をそれぞれ前記第１配列間隔で前記第１方向に沿って位置決めして保持するための複数の断面Ｖ字型溝を有する第１位置決め基板を備え、
前記移動切り換え部は、
前記複数の切り換え光線路を前記第２配列間隔で位置決めして保持する複数の断面Ｖ字型溝を有する第２位置決め基板と、
前記第２位置決め基板の各前記Ｖ字型溝に保持された前記複数の切り換え光線路を固定する第２固定部材と、から構成され、
前記第１位置決め基板は、隣接する前記断面Ｖ字型溝の配列間隔をｋ等分する位置に、前記断面Ｖ字型溝に平行なダミーの断面Ｖ字型溝を有し、
前記ダミーの断面Ｖ字型溝には、前記複数の切り換え光線路が位置決めされることを特徴とする光線路の監視切り換え装置。
【請求項２】
前記光線路保持部は、
さらに、前記第１位置決め基板の前記Ｖ字型溝にそれぞれ保持された前記光線路を固定する第１固定部材を備えることを特徴とする請求項１に記載の光線路の監視切り換え装置。
【請求項３】
前記複数の光線路と前記複数の切り換え光線路の端部の間には、光学的に屈折率を調整するマッチングオイルが配置されていることを特徴とする請求項１または２に記載の光線路の監視切り換え装置。
【発明の詳細な説明】
【技術分野】
【０００１】
本発明は、光線路の監視切り換え装置に関し、特に光通信を行う複数の光線路を監視する際に光線路の切り換えを行うための光線路の監視切り換え装置に関する。
【背景技術】
【０００２】
近年、アクセス系光ファイバ網の構築方法として、ＨＦＣ（Ｈｙｂｒｉｄ  Ｆｉｂｅｒ／Ｃｏａｘ）方式が注目されている。映像伝送などの大容量の双方向光通信は、光幹線系を用いたＨＦＣにより実現しようとしている。
一方、ＦＴＴＨ（Ｆｉｂｅｒ  Ｔｏ  Ｔｈｅ  Ｈｏｍｅ）の実現に向けて、光ファイバ網の複数の光ファイバ心線に試験光を通して破断や損傷を検出して、その結果を受光することで、各光ファイバ心線を監視する必要がある。例えば試験光が、光通信を行う局側と加入者との間に敷設されている光ファイバ心線に送られると、その試験光を受光することで、各光ファイバ心線の監視と保守管理を行う。
【０００３】
図６は、一般的な光線路の監視装置の切り換え装置を示している。局１００側に配置された複数の発光部１０１―１，１０１−２，１０１−３は、それぞれ光ファイバ心線１０２―１，１０２−２，１０２−３・・・に接続されている。受光する側１１０の複数の光ファイバ心線１１１―１，１１１−２は１つの受光部１１２に接続されている。発光部１０１―１は例えば１．３１μｍの試験光を発生し、発光部１０１−２は発光部１０１―１とは異なる波長の試験光、例えば１．５５μｍの試験光を発生する。
【０００４】
発光部１０１―１，１０１−２が発生したそれぞれ異なる波長の試験光が、光ファイバ心線１０２―１，１０２−２と光ファイバ心線１１１―１，１１１−２を通じて、受光部１１２側で受光されることで、光ファイバ心線１０２―１，１０２−２の破断や損傷などの監視を行う。そして、受光する側１１０のユニットが、局１００側のユニットに対してＲ方向に所定のピッチＰずつ移動することで、次の光ファイバ心線１０２―３，・・・の破断や損傷などの監視を行う。
【０００５】
また、図７は、別の一般的な光線路の監視装置の切り換え装置を示している。局２００側に配置された複数の発光部２０１―１，２０１−２，２０１−３は、それぞれ光ファイバ２０２―１，２０２−２，２０２−３・・・に接続されている。発光部２０１―１は例えば１．３１μｍの試験光を発生し，発光部２０１−２は発光部２０１―１とは異なる波長の試験光、例えば１．５５μｍの光を発生する。受光する側２１０の複数の光ファイバ２１１―１，２１１−２は１つの受光部２１２に対して、機械式の切り換えスイッチ２３０を用いて切り換えることで接続される。
【０００６】
発光部２０１―１，２０１−２が発生した試験光は、光ファイバ心線２０２―１，２０２−２と光ファイバ心線２１１―１，２１１−２を通じて受光部２１２側で受光することで、光ファイバ心線２０２―１，２０２−２の破断や損傷などの監視を行う。そして、受光する側２１０のユニットが、局２００側のユニットに対してＲ方向に所定のピッチＰずる移動することで、次の光ファイバ心線２０２―３，・・・の破断や損傷などの監視を行う。
【０００７】
光線路の切り換えスイッチに関する関連技術としては、特許文献１があり、この特許文献１では、光線路の接続に伴う損傷がなく高速で切り換えることができることが開示されている。
【特許文献１】特開平８―２８６１２９号公報
【発明の開示】
【発明が解決しようとする課題】
【０００８】
ところが、図６に示す光線路の監視装置の切り換え装置では、発光部１０１―１，１０１−２が互いに異なる波長の試験光を発生するが、これらの互いに異なる波長の試験光は、光ファイバ心線１１１―１，１１１−２を通じて受光部１１２に入ってしまう。このため、異なる波長の試験光が同時に受光部１１２に対して入射されるので、受光部１１２が発生する受光信号では信号ノイズが含まれてしまうため、正確に破断や損傷などの監視を行うことができない。
また、図７に示す光線路の監視装置の切り換え装置では、機械式の切り換えスイッチ２３０が必要であり、製造コストが高くなってしまう。
そこで、本発明は上記課題を解消するために、ノイズが生じることなく、切り換えスイッチが不要でコスト低減化が図れる光線路の監視切り換え装置を提供することを目的とする。
【課題を解決するための手段】
【０００９】
上記課題を解消するために、本発明の光線路の監視切り換え装置は、複数の光線路を予め定めた第１配列間隔で第１方向に平行に配列して保持する光線路保持部と、
前記第１配列間隔とは異なる第２配列間隔にて複数の切り換え光線路を保持して、前記複数の光線路の前記第１方向と直交する第２方向に沿って移動することで、前記複数の切り換え光線路の中のいずれか１本の切り換え光線路の端部を、前記複数の光線路の端部に対して隙間をおいて選択的に切り換えるための移動切り換え部と、を備え、
前記複数の切り換え光線路の本数をｋ本（ｋは２以上の整数）とし、前記第１配列間隔をＰ１としたとき、
前記第２配列間隔Ｐは、
Ｐ＝Ｐ１×ｎ＋Ｐ１／ｋ  （ｎは０以上の整数）
の関係式を満たすように設定されており、
前記光線路保持部は、
前記複数の光線路をそれぞれ前記第１配列間隔で前記第１方向に沿って位置決めして保持するための複数の断面Ｖ字型溝を有する第１位置決め基板を備え、
前記移動切り換え部は、
前記複数の切り換え光線路を前記第２配列間隔で位置決めして保持する複数の断面Ｖ字型溝を有する第２位置決め基板と、
前記第２位置決め基板の各前記Ｖ字型溝に保持された前記複数の切り換え光線路を固定する第２固定部材と、から構成され、
前記第１位置決め基板は、隣接する前記断面Ｖ字型溝の配列間隔をｋ等分する位置に、前記断面Ｖ字型溝に平行なダミーの断面Ｖ字型溝を有し、
前記ダミーの断面Ｖ字型溝には、前記複数の切り換え光線路が位置決めされることを特徴とする
【００１０】
本発明の光線路の監視切り換え装置は、好ましくは前記光線路保持部は、
さらに、前記第１位置決め基板の前記Ｖ字型溝にそれぞれ保持された前記光線路を固定する第１固定部材を備えることを特徴とする。 
【００１３】
本発明の光線路の監視切り換え装置は、好ましくは前記複数の光線路と前記複数の切り換え光線路の端部の間には、光学的に屈折率を調整するマッチングオイルが配置されていることを特徴とする。
【発明の効果】
【００１４】
本発明によれば、ノイズが生じることなく、切り換えスイッチが不要でコスト低減化が図れる。
【発明を実施するための最良の形態】
【００１５】
以下、図面を参照して、本発明の好ましい実施形態を詳細に説明する。  
図１は、本発明の光線路の監視切り換え装置の好ましい実施形態を有する光通信システムの例を示すシステム図である。
【００１６】
図１に示す光通信システム１は、対向局―反対局通信線路の監視に用いられる光線路の監視切り換え装置４０を含む。この光通信システム１では、映像伝送などの情報を送り出す対向局側１０の光カプラ３５と、反対側１１の機器と、を結ぶ光ファイバケーブル２０が配置されている。対向局側１０は、複数の受光部３０―１，３０−２・・・３０−ｎを有しており、各受光部３０―１，３０−２・・・３０−ｎは光カプラ３５に接続されている。
光線路の監視切り換え装置４０は、光カプラ３５に接続されており、この光線路の監視切り換え装置４０から得られる監視信号の処理と、光線路の監視切り換え装置４０の動作の制御は、制御端末５１を管理者が操作することにより行える。
【００１７】
図２と図３を参照して、光線路の監視切り換え装置４０の構造について説明する。
図２は、光線路の監視切り換え装置の好ましい構造例を示す斜視図であり、図３は、図２の光線路の監視切り換え装置の好ましい構造例を示す平面図である。
本発明の実施形態では、光線路として光ファイバ心線を用いるが、これに限定されない。光ファイバ心線は、裸光ファイバと、この裸光ファイバの外周に形成されている樹脂の被腹膜とで構成されている。光ファイバ心線は、双方向通信用であっても一方向通信用であっても良い。
【００１８】
図２と図３に示すように、光線路の監視切り換え装置４０は、光線路保持部５０と、移動切り換え部８０とを備えている。
光線路保持部５０は、複数の光線路５１，５２，５３，５４，５５を予め定めた第１配列間隔Ｐ１をおいて、第１方向Ｌ１に平行になるように配列して固定する。この光線路保持部５０は、第１位置決め基板６０と、第１固定部材７０と、から構成されている。
【００１９】
第１位置決め基板６０と第１固定部材７０は、例えばプラスチックやセラミックスで作られた長方形状の板部材である。第１位置決め基板６０の第１方向Ｌ１の長さは、第１固定部材７０の第１方向Ｌ１の長さよりも大きいが、第１位置決め基板６０の第２方向Ｌ２の長さは、第１固定部材７０の第２方向Ｌ２の長さと同じである。第２方向Ｌ２は、第１方向Ｌ１と直交する方向である。
【００２０】
第１位置決め基板６０の一方の面５１Ｂは、複数の断面Ｖ字型溝６１，６２，６３，６４，６５を有する。複数の断面Ｖ字型溝６１，６２，６３，６４，６５は、予め定めた第１配列間隔Ｐ１をおいて、第１方向Ｌ１に対して平行になるように形成されている。この第１配列間隔Ｐ１は、例えば２５０μｍである。
【００２１】
さらに、第１位置決め基板６０の一方の面５１Ｂは、複数のダミーの追加断面Ｖ字型溝６１Ｄ，６２Ｄ，６３Ｄ，６４Ｄを有する。これらのダミーの追加断面Ｖ字型溝６１Ｄ，６２Ｄ，６３Ｄ，６４Ｄは、隣接する断面Ｖ字型溝６１，６２，６３，６４，６５の中間位置において、第１方向Ｌ１に沿って平行になるようにダミー配列間隔Ｐ１／２で配列されており、配列間隔Ｐ１／２は、１２５μｍである。
【００２２】
図２と図３に示すように、複数の光線路５１，５２，５３，５４，５５は、それぞれ複数の断面Ｖ字型溝６１，６２，６３，６４，６５内にはめ込んで位置決めされており、第１固定部材７０は、複数の光線路５１，５２，５３，５４，５５を挟むようにして、第１位置決め基板６０の一方の面５１Ｂに対して接着剤を用いて接着することで、複数の光線路５１，５２，５３，５４，５５が固定されている。
これにより、複数の光線路５１，５２，５３，５４，５５の端面５１Ｂ，５２Ｂ，５３Ｂ，５４Ｂ，５５Ｂが、第１固定部材７０により覆われないようにして、断面Ｖ字型溝６１，６２，６３，６４，６５内において露出されている。
【００２３】
次に、図２と図３を参照して、移動切り換え部８０について説明する。
移動切り換え部８０は、第２位置決め基板８１と、第２固定部材８２から構成されている。第２位置決め基板８１と第２固定部材８２は、例えばプラスチックやセラミックスで作られた長方形状の板部材である。第２位置決め基板８１の第１方向Ｌ１の長さは第２固定部材８２の第１方向Ｌ１の長さよりも大きいが、第２位置決め基板８１の第２方向Ｌ２の長さは第２固定部材８２の第２方向Ｌ２の長さと同じである。
【００２４】
第２位置決め基板８１は、第１切り換え光線路９１と第２切り換え光線路９２をそれぞれ位置決めして保持する断面Ｖ字型溝８３，８４を有する。断面Ｖ字型溝８３，８４は、第１方向Ｌ１に平行であり、第２配列間隔Ｐ３をおいて形成されている。
【００２５】
これらの断面Ｖ字型溝８３，８４の第２配列間隔Ｐ３は、第１配列間隔Ｐ１に対して、式１の関係を有する。
第２配列間隔Ｐ３＝第１配列間隔Ｐ１×整数倍（０，１，２・・・）＋配列間隔Ｐ１／２・・・（式１）
実施例では前記整数倍を１倍として、つまり、第１切り換え光線路９１と第２切り換え光線路９２の第２配列間隔Ｐ３は、複数の光線路５１，５２，５３，５４，５５の端部の第１配列間隔Ｐ１の１．５倍に設定されている。
【００２６】
第１切り換え光線路９１と第２切り換え光線路９２は、それぞれ断面Ｖ字型溝８３，８４内に位置決めされており、第２固定部材８２は、第１切り換え光線路９１と第２切り換え光線路９２を挟むようにして、第２位置決め基板８１の一方の面８１Ｂに対して接着剤を用いて接着することで、第１切り換え光線路９１と第２切り換え光線路９２が固定されている。
【００２７】
図２と図３に示すように、移動切り換え部８０は、移動位置決め操作部９３により第２方向Ｌ２に沿って配列間隔Ｐ１／２ずつ、あるいは配列間隔Ｐ１／２の整数倍ずつ移動して位置決め可能である。
【００２８】
移動位置決め操作部９３は、回転駆動型の電動モータ９４と、送りネジ９５と、そしてガイド部材９６を有する。電動モータ９４が制御部９７の指令により作動すると、送りネジ９５が正転あるいは逆転することにより、移動切り換え部８０がガイド部材９６にガイドされながら第１方向Ｌ１に沿って、配列間隔Ｐ１／２ずつ、あるいは配列間隔Ｐ１／２の整数倍ずつ移動して位置決め可能である。
【００２９】
図２と図３に示す状態の一例では、第１切り換え光線路９１は断面Ｖ字型溝６１内に位置決めされており、第２切り換え光線路９２は断面Ｖ字型溝６１から３つ目のダミーの断面Ｖ字型溝６２Ｄ内に位置決めされている。第１切り換え光線路９１の端面９１Ｂと光線路５１の端面５１Ｂとの間には、両端面が直接接触しないようにして切り換えが容易にかつ確実に行えるようにするために、第１方向Ｌ１に関して隙間Ｔが形成されている。
【００３０】
第１切り換え光線路９１の端面９１Ｂと第２切り換え光線路９２の端面９２Ｂの一方が、光線路５２の端面５２Ｂ、光線路５３の端面５３Ｂ、光線路５４の端面５４Ｂ、光線路５５の端面５５Ｂに対面する際にも、同様にして隙間Ｔが形成される。
【００３１】
これらの隙間Ｔには、光線路５１，５２，５３，５４，５５と第１切り換え光線路９１と第２切り換え光線路９２との光学的な整合を取るために、好ましくはマッチングオイルが配置されている。これにより、第１切り換え光線路９１と第２切り換え光線路９２が、光線路５１，５２，５３，５４，５５に対して第２方向Ｌ２に移動しても、光線路５１，５２，５３，５４，５５と、第１切り換え光線路９１または第２切り換え光線路９２と、の光学的な整合は、マッチングオイルを介して確実に得ることができる。
【００３２】
光線路５１，５２，５３，５４，５５には、それぞれ発光部３０−１，３０−２，３０−３，３０−４，３０−５が接続されており、発光部３０−１，３０−２，３０−３，３０−４，３０−５は例えばレーザダイオードである。一例として、発光部３０−１，３０−３，３０−５は例えば１．３１μｍｍの波長のパルス状の試験光Ｈ１を発生し、発光部３０−２，３０−４は例えば１．５５μｍのパルス状の試験光Ｈ２を発生する。
【００３３】
第１切り換え光線路９１と第２切り換え光線路９２には、フィルタＦを介してＯＴＤＲ（Optical Time Domain Reflectometry）３００が接続されている。このＯＴＤＲ３００は、フィルタ３０１，３０２と、カプラ３０３，３０４，３０５と、レーザダイオード（ＬＤ）３１０，３１１，アバランシェフォトダイオード（ＡＰＤ）３１２を有している。
【００３４】
フィルタ３０１は測定波長λ１のみを通過させ、フィルタ３０２は測定波長λ２のみを通過させる。測定波長λ１は試験光Ｈ１の波長であり、測定波長λ２は試験光Ｈ２の波長である。カプラ３０３，３０４，３０５は、フィルタ３０１，３０２をレーザダイオード３１０，３１１，アバランシェフォトダイオード３１２に接続している。このような構造を有するＯＴＤＲ３００は、低コスト化のためにアバランシェフォトダイオード３１２を共有している。
【００３５】
本発明の実施形態では、上述した光線路の監視切り換え装置４０とＯＴＤＲ３００を組み合わせて使用すれば、測定対象となる異なる光線路とＯＴＤＲ３００の測定対象波長と異なる測定ポートの接続がされないために、言い換えればこの接続が切れるために、ノイズの影響を受けずにＯＴＤＲ３００による測定が可能である。逆に言えば、本発明の実施形態とは異なり、測定対象となる異なる光線路とＯＴＤＲ３００の測定対象波長と異なる測定ポートの接続が切れない場合には、ＯＴＤＲの測定ポートに波長λ１の試験光または現用光が入ってくると、それらの光入射がノイズとなり、正常なＯＴＤＲ測定ができない場合がある。
【００３６】
次に、上述した光線路の監視切り換え装置４０を用いた光線路の監視方法例を説明する。
図２と図３に示す移動切り換え部８０の位置の状態では、光線路５１の端面５１Ｂは、隙間Ｔを離して第１切り換え光線路９１の端面９１Ｂに対面することで光接続されている。しかし、第２切り換え光線路９２は、ダミーの追加断面Ｖ字型溝６２Ｄ内に保持されているので、他の光線路５２，５３，５４，５５の各端面５２Ｂ，５３Ｂ，５４Ｂ，５５Ｂは、第２切り換え光線路９２の端面９２Ｂに対面していない。
【００３７】
発光部３０−１が１．３１μｍｍの波長の試験光Ｈ１を発生し、隣の発光部３０−２が１．５５μｍの試験光Ｈ２を発生している。上述したように、第１切り換え光線路９１と第２切り換え光線路９２の第２配列間隔Ｐ３は、複数の光線路５１，５２，５３，５４，５５の端部の第１配列間隔Ｐ１の１．５倍に設定されている。これにより、光線路５１の端面５１Ｂが第１切り換え光線路９１の端面９１Ｂに対面して光接続されているが、他の光線路５２，５３，５４，５５の各端面５２Ｂ，５３Ｂ，５４Ｂ，５５Ｂは、第２切り換え光線路９２の端面９２Ｂに対面しておらず、第２切り換え光線路９２の端面９２Ｂはダミーの追加断面Ｖ字型溝６２Ｄ内に保持されている。
【００３８】
このことから、異なる波長の試験光Ｈ１，Ｈ２が同時にＯＴＤＲ３００に受光されることを確実に防いで、受光部９８が出力する監視信号中にノイズが含まれてしまうことを確実に防ぐことができる。
【００３９】
これにより、本発明の光線路の監視切り換え装置は、受光側では監視信号にノイズが生じることがない。しかも従来必要であった機械的な切り換えスイッチが不要となるので、光線路の監視切り換え装置の製造コストを低減できる。
【００４０】
図４は、図３に示す移動切り換え部８０の位置は、図２と図３に示す移動切り換え部８０の位置から第２方向Ｌ２に沿って、配列間隔Ｐ１／２だけ移動している。すなわち、図２に示すモータ９４を作動させて送りネジ９５を回転することで、図４に示すように移動切り換え部８０は第２方向Ｌ２に沿って配列間隔Ｐ１／２だけ移動している。
【００４１】
従って、図４に示すように、光線路５３の端面５３Ｂは、隙間Ｔを離して第２切り換え光線路９２の端面９２Ｂに対面することで光接続されている。しかし、第１切り換え光線路９１は、ダミーの追加断面Ｖ字型溝６１Ｄ内に保持されているので、他の光線路５１，５２，５４，５５の各端面５１Ｂ，５２Ｂ，５４Ｂ，５５Ｂは、第１切り換え光線路９１の端面９１Ｂに対面していない。
【００４２】
発光部３０−３が１．３１μｍｍの波長の試験光Ｈ１を発生し、隣の発光部３０−２が１．５５μｍの試験光Ｈ２を発生している。第１切り換え光線路９１と第２切り換え光線路９２の第２配列間隔Ｐ３は、複数の光線路５１，５２，５３，５４，５５の端部の第１配列間隔Ｐ１の１．５倍に設定されている。これにより、光線路５３の端面５３Ｂが第２切り換え光線路９２の端面９２Ｂに対面して光接続されているが、光線路５１，５２，５４，５５の端面５１Ｂ，５２Ｂ，５４Ｂ，５５Ｂは第１切り換え光線路９１の端面９１Ｂに対面しておらず、第１切り換え光線路９１の端面９１Ｂはダミーの追加断面Ｖ字型溝６１Ｄ内に保持されている。
【００４３】
このことから、異なる波長の試験光Ｈ１，Ｈ２が同時に受光部９８に受光されることを確実に防いで、受光部９８が出力する監視信号中にノイズが含まれてしまうことを確実に防ぐことができる。
【００４４】
なお、図５に示す実施形態では、カプラＣとフォトダイオードのような受光部９８に代えて、図３に示すようなＯＴＤＲ３００を用いることも勿論できる。
これにより、本発明の光線路の監視切り換え装置は、受光側では監視信号にノイズが生じることがない。しかも従来必要であった機械的な切り換えスイッチが不要となるので、光線路の監視切り換え装置の製造コストを低減できる。
移動切り換え部８０が図４の位置からさらにＬ１方向に移動したとしても、上述したのと同様の作用効果を生じる。
【００４５】
図５は、本発明の光線路の監視切り換え装置の別の実施形態を示す平面図である。
図５に示す光線路の監視切り換え装置４０Ｂが、図２〜図４に示す光線路の監視切り換え装置４０と同様の箇所には同じ符号を記してその説明を用いる。
図５に示す光線路の監視切り換え装置４０Ｂが、図２〜図４に示す光線路の監視切り換え装置４０と異なるのは、次に示す通りである。
【００４６】
光線路保持部５０では、隣接する断面Ｖ字型溝６１，６２，６３の間に、２本のダミーの追加断面Ｖ字型溝が形成されていることである。すなわち、断面Ｖ字型溝６１，６２の間には、２本のダミーの追加断面Ｖ字型溝６１Ｄ―１、６１Ｄ―２が平行に形成されており、同様にして断面Ｖ字型溝６２，６３の間には、２本のダミーの追加断面Ｖ字型溝６２Ｄ―１、６２Ｄ―２が平行に形成されている。断面Ｖ字型溝６１，６２，６３には、それぞれ光線路５１，５２，５３が位置決めして固定されている。第１切り換え光線路９１と第２切り換え光線路９２には、フィルタＦとカプラＣを介してそれぞれフォトダイオードのような受光部９８が接続されている。
【００４７】
これに対して、移動切り換え部８０は、第１切り換え光線路９１，第２切り換え光線路９２，そして第３切り換え光線路９２―１を有している。
光線路５１，５２，５３の第１配列間隔Ｐ１１に対して、第１切り換え光線路９１，第２切り換え光線路９２，そして第３切り換え光線路９２―１の第２配列間隔は、Ｐ１１／３
である。このようにダミーの追加断面Ｖ字型溝の本数を増やすことで、切り換え光線路の数を増やすことができ、より選択機能を拡充することができる。
【００４８】
なお、図５の実施形態では、光線路保持部５０は、第１位置決め基板６０を備えているが、第１固定部材は用いられておらず、光線路５１，５２，５３は第１位置決め基板６０に対して固定されている。
このように、光線路５１，５２，５３間のダミーの追加断面Ｖ字型溝の本数は、１本、２本、あるいは３本以上であっても良い。
【００４９】
本発明の実施形態の光線路の監視切り換え装置４０は、複数の光線路５１，５２，５３・・を予め定めた第１配列間隔Ｐ１で第１方向Ｌ１に平行に配列して保持する光線路保持部５０と、第１切り換え光線路９１と第２切り換え光線路９２とを第２配列間隔Ｐ３をおいて保持して、複数の光線路の第１方向Ｌ１と直交する第２方向Ｌ２に沿って移動することで、第１切り換え光線路９１の端部９１Ｂと第２切り換え光線路９２の端部９２Ｂを、複数の光線路の端部に対して隙間Ｔをおいて選択的に切り換えための移動切り換え部８０とを備える。そして、第１切り換え光線路と第２切り換え光線路の第２配列間隔Ｐ３は、第１配列間隔Ｐ１とは異なる設定である。
【００５０】
これにより、受光側では異なる波長の試験光が同時には入射しないのでノイズが生じることがない。しかも、従来必要であった機械的な切り換えスイッチが不要となるので、光線路の監視切り換え装置の製造コストを低減できる。
【００５１】
また、光線路保持部は、複数の光線路をそれぞれ位置決めして保持する複数の断面Ｖ字型溝６１，６２，・・・を有する第１位置決め基板６０を有しており、光線路保持部は、さらに好ましくは第１位置決め基板６０のＶ字型溝にそれぞれ位置決めされた光線路を固定する第１固定部材７０を有している。
【００５２】
これにより、簡単な構造ながら、複数の光線路は第１配列間隔Ｐ１で第１方向Ｌ１に平行に配列して保持することができる。
【００５３】
移動切り換え部８０は、第１切り換え光線路９１と第２切り換え光線路９２をそれぞれ位置決めして保持する複数の断面Ｖ字型溝８３，８４を有する第２位置決め基板８１と、第２位置決め基板８１の各Ｖ字型溝に位置決めされた第１切り換え光線路９１と第２切り換え光線路９２を固定する第２固定部材８２と、から構成されている。
【００５４】
これにより、簡単な構造ながら、第１切り換え光線路９１と第２切り換え光線路９２を確実に配列して保持することができる。
【００５５】
第１位置決め基板６０は、配列されている複数の前記断面Ｖ字型溝６１，６２，・・・の中間位置に、断面Ｖ字型溝に平行なダミーの断面Ｖ字型溝６１Ｄ、６２Ｄ、・・・を有し、ダミーの断面Ｖ字型溝には、第１切り換え光線路９１または第２切り換え光線路９２が位置決めされる。
【００５６】
これにより、第１切り換え光線路９１または第２切り換え光線路９２は、光線路５１，５２，・・・とはずれた位置に確実に保持することができる。
【００５７】
複数の光線路と第１切り換え光線路の端部と第２切り換え光線路の端部の間には、光学的に屈折率を調整するマッチングオイルが配置されている。これにより、第１切り換え光線路９１と第２切り換え光線路９２が光線路５１，５２，５３，５４，５５に対して第２方向Ｌ２に移動しても、光線路５１，５２，５３，５４，５５と、第１切り換え光線路９１または第２切り換え光線路９２と、の光学的な整合を取ることができる。
【００５８】
移動切り換え部８０はマスター側であり、光線路保持部５０はスレーブ側である。移動切り換え部８０は例えば８０本の光線路を配置する場合には、光線路保持部５０は例えば７本または８本の切り換え光線路を設けることができる。
【００５９】
ところで、本発明は、上記実施形態に限定されず種々の変形例を採用できる。
例えば、図２と図３に示す移動位置決め操作部９３は、送りネジとこの送りネジを回転する回転駆動型のモータを備えているが、リニアモータなどの他の形式のものを採用しても良い。
【００６０】
図示例の光線路の監視切り換え装置４０における光線路、断面Ｖ字型溝、ダミーの断面Ｖ字型溝の数は、一例であり、特に限定されない。
【００６１】
図１に示す例では、光通信システム１は、局―局通信線路の監視に用いられる光線路の監視切り換え装置４０を含んでいる。対局側に監視用の光源をおいて、反対局側では受光する。図１に示すように実際に用いている光線路に対して光線路の監視切り換え装置４０を用いて監視を行っても良いし、使用していない光ケーブルに直接光源をつないで、代表光ファイバ心線監視をするようにしても良い。
【００６２】
また、光通信システムの光線路の監視切り換え装置は、局―需要者間の通信線路の監視に用いることもできる。
【００６３】
図２〜図４に示す実施形態では、光線路保持部５０は、第１位置決め基板６０と、光線路を固定する第１固定部材７０を有している。しかし、これに限らず第１固定部材７０は用いずに第１位置決め基板６０に対して各光線路を固定するようにしても良い。これにより、部品点数を削減して光線路の監視切り換え装置の小型化が図れる。
【図面の簡単な説明】
【００６４】
【図１】本発明の光線路の監視切り換え装置の好ましい実施形態を有する光通信システムの例を示す図である。
【図２】光線路の監視切り換え装置の好ましい構造例を示す斜視図である。
【図３】光線路の監視切り換え装置の好ましい構造例を示す平面図である。
【図４】移動切り換え部が図３の状態からＬ１方向に移動した例を示す平面図である。
【図５】本発明の別の実施形態を示す図である。
【図６】従来例を示す図である。
【図７】別の従来例を示す図である。
【符号の説明】
【００６５】
１        光通信システム１
４０      光線路の監視切り換え装置
５０      光線路保持部
５１，５２，５３，５４，５５    光線路
６０      第１位置決め基板
６１、６２、６３、６４、６５    断面Ｖ字型溝
６１D、６２D、６３D、６４D    ダミーの断面Ｖ字型溝
７０      第２固定部材
８０      移動切り換え部
８１      第２位置決め基板
８２      第２固定部材
９１      第１切り換え光線路
９２      第２切り換え光線路
Ｔ        隙間
Ｐ１      第１配列間隔
Ｐ３      第２配列間隔
Ｌ１      第１方向
Ｌ２      第２方向
【図１】
0005227565.tif 000002
【図２】
0005227565.tif 000003
【図３】
0005227565.tif 000004
【図４】
0005227565.tif 000005
【図５】
0005227565.tif 000006
【図６】
0005227565.tif 000007
【図７】
0005227565.tif 000008